(57)【要約】      （修正有）【課題】外周表面に汚損部分が生じないようにして、衛生上好ましく、かつ、外観も保持することが可能な二重キャップを提供する。【解決手段】ネジ２付きの不透明な内キャップ３と、これに被せて嵌着する透明の外キャップ４とを組み合わせた二重キャップ１において、内キャップの下端部３ａに、外方へ向かって拡張形成された環状鍔部５と、環状鍔部に、周方向に適宜間隔で形成された上向き開孔部６と、外キャップの下端部４ａに下方へ向かって突出形成され、上向き開孔部内に挿入されてこれら外キャップと内キャップの相対回転を規制する凸部８と、これら凸部と上向き開孔部との間に設けられ、内キャップと外キャップとを係合する係合部と、外キャップの下端部に、凸部よりも外側に位置させて下方へ向かって突出形成され、環状鍔部の外周面５ｂを包囲して当該環状鍔部との境界Ｑを下向きに設定するリング状カバー部１０とを備えた。【選択図】図１
2011213403.tif 000002
【特許請求の範囲】
【請求項１】
容器の頚部等に装着するネジ付きの不透明な内キャップと、これに被せて嵌着する透明の外キャップとを組み合わせた二重キャップにおいて、
上記内キャップの下端部に、外方へ向かって拡張形成された環状鍔部と、
該環状鍔部に、周方向に適宜間隔で形成された上向き開孔部と、
上記外キャップの下端部に下方へ向かって突出形成され、上記上向き開孔部内に挿入されてこれら外キャップと内キャップの相対回転を規制する凸部と、
これら凸部と上向き開孔部との間に設けられ、上記内キャップと上記外キャップとを係合する係合部と、
上記外キャップの下端部に、上記凸部よりも外側に位置させて下方へ向かって突出形成され、上記環状鍔部の外周面を包囲して当該環状鍔部との境界を下向きに設定するリング状カバー部とを備えたことを特徴とする二重キャップ。
【請求項２】
前記上向き開孔部内には、前記係合部の離脱を規制するために、該係合部が係合する方向へ前記凸部を押圧する押圧突起が設けられていることを特徴とする請求項１に記載の二重キャップ。
【発明の詳細な説明】
【技術分野】
【０００１】
本発明は、外周表面に汚損部分が生じないようにして、衛生上好ましく、かつ、外観も保持することが可能な二重キャップに関する。
【背景技術】
【０００２】
内キャップを不透明とし、外キャップを透明とした二重キャップとしては、特許文献１が知られている。特許文献１は、外キャップが透明な二重キャップにおいて、抜け防止用アンダーカットや回動防止用アンダーカット等の係合手段が露出しないように隠蔽した構造を得ることを目的とし、容器の頚部等に装着するネジ付の不透明な内キャップと、これに被せて嵌着する透明の外キャップとを組み合わせた外キャップが透明な二重キャップにおいて、内キャップの外壁面下部に、折り返しにより、外キャップとほぼ同じ外径を持つ不透明な受容部を形成し、この不透明な受容部に透明な外キャップの下部を挿入し、上記不透明な受容部で隠された領域内にて、外キャップの下部と内キャップの受容部の間に、両者を係合させて抜け及び回動を防止する係合手段を設けるようにしている。
【先行技術文献】
【特許文献】
【０００３】
【特許文献１】特開２００３−１６０１５７号公報
【発明の概要】
【発明が解決しようとする課題】
【０００４】
特許文献１では、内キャップの不透明な受容部を、外キャップとほぼ同じ外径としている。このため、外キャップと受容部との境界が、二重キャップの外周表面に面して位置している。外キャップと受容部の境界は、僅かながら、隙間を形成している。この隙間に、塵埃などが入り込んでしまうと、汚損部分となってしまう。手指で触れる二重キャップの外周表面に汚損部分があることは、衛生上好ましくなく、また外観上も見苦しいという課題があった。
【０００５】
本発明は上記従来の課題に鑑みて創案されたものであって、外周表面に汚損部分が生じないようにして、衛生上好ましく、かつ、外観も保持することが可能な二重キャップを提供することを目的とする。
【課題を解決するための手段】
【０００６】
本発明にかかる二重キャップは、容器の頚部等に装着するネジ付きの不透明な内キャップと、これに被せて嵌着する透明の外キャップとを組み合わせた二重キャップにおいて、上記内キャップの下端部に、外方へ向かって拡張形成された環状鍔部と、該環状鍔部に、周方向に適宜間隔で形成された上向き開孔部と、上記外キャップの下端部に下方へ向かって突出形成され、上記上向き開孔部内に挿入されてこれら外キャップと内キャップの相対回転を規制する凸部と、これら凸部と上向き開孔部との間に設けられ、上記内キャップと上記外キャップとを係合する係合部と、上記外キャップの下端部に、上記凸部よりも外側に位置させて下方へ向かって突出形成され、上記環状鍔部の外周面を包囲して当該環状鍔部との境界を下向きに設定するリング状カバー部とを備えたことを特徴とする。
【０００７】
前記上向き開孔部内には、前記係合部の離脱を規制するために、該係合部が係合する方向へ前記凸部を押圧する押圧突起が設けられていることを特徴とする。
【発明の効果】
【０００８】
本発明にかかる二重キャップにあっては、外周表面に汚損部分が生じないようにして、衛生上好ましく、かつ、外観も保持することができる。
【図面の簡単な説明】
【０００９】
【図１】本発明に係る二重キャップの好適な一実施形態を示す一部破断斜視図である。
【図２】図１に示した二重キャップの側断面図である。
【図３】図１の二重キャップに適用される内キャップを示す一部破断斜視図である。
【図４】図３に示した内キャップの側断面図である。
【図５】図１の二重キャップに適用される外キャップを示す一部破断斜視図である。
【図６】図５に示した外キャップの側断面図である。
【図７】図１に示した二重キャップの底面図である。
【図８】図７中、Ａ−Ａ線矢視断面図である。
【図９】図７中、Ｂ−Ｂ線矢視断面図である。
【図１０】図１に示した二重キャップにおける係合作用を説明するための要部拡大側断面図である。
【図１１】図１に示した二重キャップの変形例を示す要部拡大側断面図である。
【図１２】図１に示した二重キャップの他の変形例を示す要部拡大側断面図である。
【図１３】図１に示した二重キャップのさらに他の変形例を示す要部拡大側断面図である。
【発明を実施するための形態】
【００１０】
以下に、本発明に係る二重キャップの好適な実施形態を、添付図面を参照して詳細に説明する。図１〜図１０に示すように、二重キャップ１は、容器（図示せず）の頚部や口部に装着するネジ２付きの不透明な内キャップ３と、これに被せて抜脱及び相対回転が規制されて嵌着される透明な外キャップ４とを組み合わせた二重構造で構成される。
【００１１】
内キャップ３は、不透明な合成樹脂材料で、上端が閉塞された中空円筒体状に形成される。内キャップ３には、内周面に、容器の頚部等に螺合されるネジ２が形成される。内キャップ３には、下端部３ａに、当該内キャップ３の径方向外方へ向かって拡張して、平面外形輪郭が円形状の環状鍔部５が形成される。環状鍔部５には、周方向に適宜間隔で、上面５ａから下方へ向けて上向き開孔部６が形成される。
【００１２】
図示例にあっては、上向き開孔部６は２つ形成されているが、３つ以上形成してもよい。本実施形態にあっては、上向き開孔部６は、環状鍔部５を上下方向に貫通して形成されているが、貫通させずに、底部を塞いだ形態としてもよい。上向き開孔部６内には、内キャップ３の周方向に沿うその長さ方向に沿って、内キャップ３の径方向内方へ向けて、内向き係合突起７が形成される。
【００１３】
外キャップ４は、透明な合成樹脂材料で、上端が閉塞された中空円筒体状に形成される。外キャップ４の外径寸法は、少なくとも下端部４ａ位置において、内キャップ３の環状鍔部５の外径寸法よりも大きく形成される。外キャップ４は、その下端部下面４ｂが内キャップ３の環状鍔部上面５ａ上に被さるように設置される。
【００１４】
外キャップ４の下端部４ａ内縁側には、下方へ向かって突出させて凸部８が形成される。凸部８は、上向き開孔部６位置に対応させて、当該上向き開孔部６の孔径相当の外径寸法で形成される。本実施形態にあっては、これら凸部８及び上向き開孔部６は、内・外キャップ３，４の周方向に沿って適宜な長さで弧状に形成されている。凸部８は、上向き開孔部６に上方から挿入される。これにより、凸部８と上向き開孔部６は、内・外キャップ３，４の周方向に互いに突き当たり、これら外キャップ４と内キャップ３の相対回転を規制する。
【００１５】
凸部８には、外キャップ４の周方向に沿うその長さ方向に沿って、外キャップ４の径方向外方へ向けて、上向き開孔部６内の内向き係合突起７に係合する、弾性変形自在な外向き係合突起９が形成される。これら係合突起７，９により、内キャップ３と外キャップ４とを係合してそれらの抜脱を規制する係合部が構成される。
【００１６】
外キャップ４の下端部４ａ外縁側には、凸部８よりも外側に位置させて、下方へ向かって突出させてリング状のカバー部１０が形成される。リング状カバー部１０は、外キャップ４の外周側面４ｃに沿って、平面外形輪郭が円形状の環状鍔部５の外周面５ｂを包囲するように、一連に連続して形成される。これにより、リング状カバー部１０と環状鍔部５との境界Ｑ、すなわち内キャップ３とこれに被さる外キャップ４との境界Ｑが下向きに設定される。
【００１７】
次に、本実施形態に係る二重キャップ１の作用について説明する。二重キャップ１を組み立てる際には、外キャップ４の凸部８を内キャップ３の上向き開孔部６に位置合わせし、内キャップ３を外キャップ４内方へ押し込む。これにより、図１０に示すように、凸部８の外向き係合突起９が弾性変形して上向き開孔部６の内向き突起７を乗り越え、これにより外キャップ４の下端部下面４ｂが環状鍔部上面５ａ上に設置されると共に係合部が係合して、内キャップ３に外キャップ４を被せてこれらを嵌着保持することができる。また、凸部８と上向き開孔部６が内・外キャップ３，４の周方向に突き当たり、内キャップ３と外キャップ４の相対回転が規制される。
【００１８】
このように外キャップ４と内キャップ３とを嵌着した状態では、不透明な環状鍔部５の外周面５ｂよりも内側に上向き開孔部６と凸部８が位置し、環状鍔部５の外周面５ｂを覆ってリング状カバー部１０が位置し、さらに、二重キャップ１の下面１ａにこれに面して、リング状カバー部１０と環状鍔部５との境界Ｑが位置する。
【００１９】
外キャップ４と内キャップ３の抜脱及び相対回転を規制する凸部８と上向き開孔部６は、二重キャップ１を外側から見たとき、環状鍔部５によって隠蔽される。これにより、外キャップ４を透明として装飾効果を発揮させつつも、凸部８と上向き開孔部６が露出しないように隠蔽した構造を備える、外観の体裁が良好な二重キャップ１を得ることができる。
【００２０】
そしてまた、リング状カバー部１０が環状鍔部５の外周面５ｂを包囲することにより、これらの境界Ｑ、すなわち外キャップ４と内キャップ３の境界Ｑが二重キャップ１の下面１ａに位置することとなるので、境界Ｑ部分の隙間に塵埃などが侵入して汚損が生じるようなことがあっても、二重キャップ１の外観を保持することができると共に、汚損部分が二重キャップ１の下面１ａとなって、外キャップ４の外周表面４ｃが汚損部分となる場合に比べて、衛生上も好ましく使用することができる。
【００２１】
本実施形態にあっては、上向き開孔部６及び凸部８を弧状に形成し、係合突起７，９を長く形成したので、係合強度を高めることもできる。
【００２２】
図１１には、上記実施形態の変形例が示されている。上記実施形態では、上向き開孔部６に内向き係合突起７を、凸部８に外向き係合突起９を形成したが、これらを反対にして、上向き開孔部６に外向き係合突起９を、凸部８に内向き係合突起７を形成してもよい。このような変形例にあっても、上記実施形態と同様の作用効果を奏することはもちろんである。
【００２３】
図１２には、図８の構成に対する変形例が示されている。図８に示している外キャップ４に合成樹脂成形用の金型上で外向き係合突起９を形成するには、無理抜きのアンダーカットにせざるを得ない。すなわち、外向き係合突起９を、鋭角なアンダーカットに形成することはできない。このため、このような外向き係合突起９は、内向き係合突起７が離脱してしまうことを規制するのに、必ずしも十分な形状になっているとは言えない。そこで、上向き開孔部６内には、内向き係合突起７よりも下方に位置させて、当該内向き係合突起７に向かい合う向きで突出させて押圧突起１１が設けられる。この押圧突起１１は、上向き開孔部６内に挿入された凸部８を、係合部が係合する方向、すなわち外向き係合突起９が内向き係合突起７へ近づく方向へ押圧して弾性変形させ、これにより係合部の離脱を規制する。
【００２４】
押圧突起１１の上面には、凸部８の下端が当該押圧突起１１を滑り降りつつ凸部８が弾性変形するのを助けるために、内向き係合突起７側へ向かって次第に低くなる傾斜摺接面１２が形成される。この傾斜摺接面１２により凸部８を弾性変形させつつその下端をスムーズに内向き係合突起７側へ押圧して、内向き係合突起７に外向き係合突起９を容易に係合させることができるようになっている。傾斜摺接面１２は、押圧突起１１ではなく、凸部８の下端に形成するようにしても良い。
【００２５】
この押圧突起１１によって係合部の離脱を規制することで、内キャップ３と外キャップ４が不用意に外れることを確実に防止することができる。このような変形例にあっても、上記実施形態と同様の作用効果を奏することはもちろんである。
【００２６】
図１３には、図１１の構成に対し、図１２の構造を適用した変形例が示されている。図１１の変形例に対応させて、上向き開孔部６内には、外向き係合突起９よりも下方に位置させて、図１２と同様に押圧突起１１が設けられる。この押圧突起１１は、上向き開孔部６内に挿入された凸部８を、係合部が係合する方向、すなわち内向き係合突起７が外向き係合突起９へ近づく方向へ押圧して弾性変形させる。
【００２７】
この変形例では、傾斜摺接面１２は、凸部８の下端に外向き係合突起９側へ向かって次第に低くなるように形成されていて、これにより凸部８の下端が当該押圧突起１１を滑り降りつつ凸部８が弾性変形するのを助ける。傾斜摺接面１２は、凸部８ではなく、押圧突起１１の上面に形成するようにしても良い。
【００２８】
この押圧突起１１によって、図１２の場合と同様に、係合部の離脱を規制して、内キャップ３と外キャップ４が不用意に外れることを確実に防止することができる。このような変形例にあっても、上記実施形態と同様の作用効果を奏することはもちろんである。
【符号の説明】
【００２９】
１  二重キャップ
２  ネジ
３  内キャップ
３ａ  内キャップの下端部
４  外キャップ
４ａ  外ャップの下端部
５  環状鍔部
５ｂ  環状鍔部の外周面
６  上向き開孔部
７  内向き係合突起
８  凸部
９  外向き係合突起
１０  リング状カバー部
１１  押圧突起
Ｑ  境界
【図１】
2011213403.tif 000003
【図２】
2011213403.tif 000004
【図３】
2011213403.tif 000005
【図４】
2011213403.tif 000006
【図５】
2011213403.tif 000007
【図６】
2011213403.tif 000008
【図７】
2011213403.tif 000009
【図８】
2011213403.tif 000010
【図９】
2011213403.tif 000011
【図１０】
2011213403.tif 000012
【図１１】
2011213403.tif 000013
【図１２】
2011213403.tif 000014
【図１３】
2011213403.tif 000015